(57)【要約】【課題】品質劣化を回避した焼結フェライトシートを得るとともに、焼結フェライトシートからフェライト粒子が粉落ちするのを防止する。【解決手段】焼結フェライトシート２５の表裏面のうち少なくとも片面に格子状の内方分割溝２３を有するとともに、その表面及び／又は裏面に面状シート２８，２９が貼着された積層フェライトシート３０を準備する。次いでその周縁部Ｂにせん断を施して、焼結フェライトシートの表面より小さい表面のせん断フェライトシート３３を得る。すると、せん断フェライトシートの周端面には、少なくとも前記内方分割溝の断面が露出してフェライト粒子が粉落ちを起こし易くなる。そこで、せん断フェライトシートの表裏面に第三、第四保護フィルム３６，３７を貼り付けるとともに、せん断フェライトシートの周端面側に、それを包囲する第五保護フィルム３８を配置する。【選択図】図５
2014130863.tif 000002
【特許請求の範囲】
【請求項１】
グリーンフェライトシート（２０）の中央部（Ａ）から外方の広がる周端面（２１）寄りの周縁部（Ｂ）に平面形状が方形をなす外方分割溝（２２）を形成するとともに、その外方分割溝の内方領域（Ｃ）に格子状の内方分割溝（２３）を形成して分割溝付きグリーンフェライトシート（２４）を得る第一工程と、
前記分割溝付きグリーンフェライトシートを焼成して焼成フェライトシート（２５）を得る第二工程と、
前記焼成フェライトシートの表裏面のうち、少なくとも片面に保護フィルム（２８，２９）を貼着して積層フェライトシート（３０）を得る第三工程と、
前記積層フェライトシートの外方分割溝又は前記内方領域内に剪断を施して、前記焼成フェライトシートより小さい平面を有するとともに周端面に少なくとも前記内方分割溝の断面が露出したせん断フェライトシート（３３）を得る第四工程と
からなるフェライトシート積層体の製造方法。
【請求項２】
焼結フェライトシート（２５）の表裏面のうち少なくとも片面に格子状の分割溝（２３）を有するとともに、その表面及び／又は裏面に面状シート（２８，２９）が貼着された積層フェライトシートの周縁部（Ｂ）にせん断を施して、前記焼結フェライトシートの表面より小さい表面を有し、かつ周端面に、少なくとも前記内方分割溝（２３）の断面を露出させたことを特徴とするフェライトシート積層体。
【請求項３】
グリーンフェライトシート（２０）の中央部（Ａ）から外方の広がる周端面（２１）寄りの周縁部（Ｂ）に平面形状が方形をなす外方分割溝（２２）を形成するとともに、その外方分割溝の内方領域（Ｃ）に格子状の内方分割溝（２３）を形成して分割溝付きグリーンフェライトシート（２４）を得る第一工程と、
前記分割溝付きグリーンフェライトシートを焼成して焼成フェライトシート（２５）を得る第二工程と、
前記焼成フェライトシートの表裏面のうち、少なくとも片面に保護フィルム（２８，２９）を貼着して積層フェライトシート（３０）を得る第三工程と、
前記積層フェライトシートの外方分割溝上又は前記内方領域内に剪断を施して、前記焼成フェライトシートより小さい平面を有するとともに、周端面に少なくとも前記内方分割溝の断面が露出したせん断フェライトシート（３３）を得る第四工程と
前記せん断フェライトシートの表裏面に第三、第四保護フィルムをそれぞれ貼着するとともに、同じくせん断フェライトシートの周端面側にそれを包囲する第五保護フィルムが配置された保護フェライトシートを得る第五工程とを含むフェライトシート積層体の製造方法。
【請求項４】
焼結フェライトシート（２５）の表裏面のうち少なくとも片面に格子状の分割溝（２３）を有するとともに、その表面及び／又は裏面に面状シート（２８，２９）が貼着された積層フェライトシートの周縁部（Ｂ）にせん断を施して、前記焼結フェライトシートの表面より小さい表面を有し、かつ周端面に少なくとも前記内方分割溝（２３）の断面を露出させたせん断フェライトシートを得て、そのせん断フェライトシートの表裏面に第三、第四保護フィルム（３６，３７）を貼り付け、さらに同じくせん断フェライトシートの周端面側にそれを包囲する第五保護フィルム（３８）を配置したことを特徴とするフェライトシート積層体。
【発明の詳細な説明】
【技術分野】
【０００１】
本発明は、フェライトシート積層体、特に携帯情報端末、非接触型ＩＣカード、近距離無線通信装置等（以下、「携帯端末情報」と総称する。）に組み込まれるフェライト積層体及びその製造方法に関するものである。
【背景技術】
【０００２】
従来から携帯情報端末に使用されるアンテナ装置として、図１３に示されるようなアンテナ装置１は公知である（特許第４８３１１８３号明細書）。このアンテナ装置１は、アンテナコイル２の下側に接着材層３を介して方形のフェライト小片４が面状かつ額縁状に配置されている焼結フェライトシート５と、その下側に接着材層６を介して金属板７を重ねた重畳構造をしている。
【０００３】
前記焼結フェライトシート５は、基本的にグリーンフェライトシートを所定の平面形状のフェライト小片４にしてから、それらを、接着材層を介して、所定の保護フィルム又はシートの上に横並び配置して製造される。
【先行技術文献】
【特許文献】
【０００４】
【特許文献１】特許第４８３１１８３号明細書
【発明の概要】
【発明が解決しようとする課題】
【０００５】
ところが、近年、前記焼結フェライトシートの生産性及び焼結フェライトシートの柔軟性をより向上させるために、次の工程からなる焼結フェライトシートの製造方法が採用されるようになってきた。すなわち、グリーンフェライトシートに格子状の分割溝を形成した分割溝付きグリーンシートを得る第一工程と、前記分割溝付きグリーンフェライトシートを焼成して、焼結フェライトシートを得る第二工程と、前記焼結フェライトシートの表裏面のうち少なくとも片面に、図１４に示すように、保護フィルム８を貼着して積層フェライトシート９を得る第四工程と、前記積層フェライトシート９に金型１０により剪断を施して、前記焼結フェライトシート９より小さい平面を有するせん断フェライトシート１１を得る第五工程とからなる焼結フェライトシートを製造する方法が採用されている。
【０００６】
ところが、この方法において第二工程では、せん断フェライトシート１１の周縁部における分割溝１２同士の間に存在する自由端（図１３は焼結フェライトシート５を示すものであるが、その原材料であるグリーンフェライトシートの周縁部における分割溝同士の間に存在する自由端）が熱変形して、得られたせん断フェライトシート１１の周縁部Ａに一点鎖線１２に示すように波打った非平面ができ、その結果、焼結フェライトシート５の品質を劣化させる。
【０００７】
そこで、本発明者等は、まず、品質劣化を回避した焼結フェライトシートを得ることを目的に、焼結フェライトシートの製造方法を鋭意、検討した結果、前記五工程に特定の手段を講ずれば良いという事実を見出した。しかしながら、その手段によって得られた焼結フェライトシートの端面に少なくとも前記分割溝の横断面が露出し、その結果、その横断面からフェライトシートの母材であるフェライト粒子がこぼれ落ちるという現象が起こり、その結果、焼結フェライトシートを携帯情報端末に組み込んだとき、携帯情報端末を長時間使用する過程で、前記フェライト粒子が携帯情報端末の電子部品に悪影響を及ぼすということが判明した。
【０００８】
従って、本発明の第一の課題は、品質劣化を回避した焼結フェライトシートを得ることにある。そして本発明の第二の課題は、携帯情報端末に組み込まれた焼結フェライトシートからフェライト粒子がこぼれ落ちても、焼結フェライトシートが組み込まれた携帯情報端末の電子部品に悪影響が及ぶのを阻止することにある。
【課題を解決するための手段】
【０００９】
本発明は、前記の課題を解決するために、グリーンフェライトシートの中央部から外方の広がる周端面寄りの外方領域に平面形状が方形をなす外方分割溝を形成するとともに、その外方分割溝の内方領域に格子状の内方分割溝を形成して分割溝付きグリーンフェライトシートを得る第一工程と、前記分割溝付きグリーンフェライトシートを焼成して焼結フェライトシートを得る第二工程と、前記焼結フェライトシートの表裏面のうち、少なくとも片面に保護フィルムを貼着して積層フェライトシートを得る第四工程と、前記外方分割溝上又は前記内方領域内に剪断を施して、前記焼結フェライトシートより小さい平面を有するとともに周端面に少なくとも前記内方分割溝の断面が露出した剪断フェライトシートを得る第五工程とからなるフェライトシート積層体の製造方法を採用する。なお、ここで「少なくとも」とは、前記焼結フェライトシートにおいて前記内方分割溝が存在しない部位もせん断され、その部位のせん断面も露出するということを意味する。
【００１０】
この方法を採用することにより、前記第五工程において、前記焼結フェライトシートより小さい平面を有するように、前記外方分割溝上又は前記内方領域内にせん断を施しているので、外方分割溝の外方領域の自由端に発生する非平面領域が前記内方領域に伝播することはない。
【００１１】
その結果、焼結フェライトシートの表裏面のうち少なくとも片面に格子状の分割溝を有するとともに、その表面及び／又は裏面に面状シートが貼着された積層フェライトの表裏面のうち少なくとも片面に格子状の分割溝を有するとともに、その表面及び／又は裏面に面状シートが貼着された積層フェライトシートの周縁部にせん断を施して、前記焼結フェライトシートの表面より小さい表面を有し、かつ周端面に、少なくとも前記内方分割溝の断面を露出させたフェライトシート積層体になる。
【００１２】
しかしながら、前記フェライトシート積層体において前記分割溝等から、フェライト粒子がこぼれ落ちる恐れがある。そこで本発明は、その恐れを阻止するために、グリーンフェライトシートの中央部から外方の広がる周端面寄りの周縁部に平面形状が方形をなす外方分割溝を形成するとともに、その外方分割溝の内方領域に格子状の内方分割溝を形成して分割溝付きグリーンフェライトシートを得る第一工程と、前記分割溝付きグリーンフェライトシートを焼成して焼成フェライトシートを得る第二工程と、前記焼成フェライトシートの表裏面のうち、少なくとも片面に保護フィルムを貼着して積層フェライトシートを得る第三工程と、前記積層フェライトシートの外方分割溝上又は前記内方領域内にせん断を施して、前記焼成フェライトシートより小さい平面を有するとともに周端面に少なくとも前記内方分割溝の断面が露出したせん断フェライトシートを得る第四工程と、前記せん断フェライトシートの表裏面に第三、第四保護フィルムをそれぞれ貼着するとともに、同じくせん断フェライトシートの周端面側にそれを包囲する第五保護フィルムを配置して外面が保護されて保護フェライトシートを得る第五工程とを含むフェライトシート積層体の製造方法を採用する。
【００１３】
この方法により得られたフェライトシート積層体は、焼結フェライトシートの表裏面のうち少なくとも片面に格子状の分割溝を有するとともに、その表面及び／又は裏面に面状シートが貼着された積層フェライトシートの周縁部にせん断を施して、前記焼結フェライトシートの表面より小さい表面を有し、かつ周端面に少なくとも前記内方分割溝の断面を露出させたせん断フェライトシートを得るとともに、そのせん断フェライトシートの表裏面に第三、第四保護フィルムを貼り付け、さらに同じくせん断フェライトシートの周端面側にそれを包囲する第五保護フィルムを配置したフェライトシート積層体になる。
【００１４】
本発明に係る焼結フェライトシート積層体は上記の構造を有するので、焼結フェライトシートの周端面に前記分割溝の断面が露出したことにより、周端面から焼結フェライトを構成する焼結粒子がこぼれ落ちることがあっても、フェライトシート積層体から焼結粒子が外方に移動することはない。
【発明の効果】
【００１５】
本発明は、上記の手段を採用することにより、品質劣化を回避した焼結フェライトシートを得ることができるとともに、その焼結フェライトシートが携帯情報端末に組み込まれた場合、焼結フェライトシートがせん断された周端面からフェライトの粒子がこぼれ落ちても、その粒子が携帯情報端末内に移動するのを阻止できるという優れた効果を発揮する。
【図面の簡単な説明】
【００１６】
【図１】本発明に係るグリーンフェライトシートの斜視図である。
【図２】本発明に係る焼結フェライトシートの断面図である。
【図３】同じく積層フェライトシートの斜視図である。
【図４】せん断フェライトシートの断面図である。
【図５】フェライトシート積層体の断面図である。
【図６】保護フィルムにより保護されていない状態のせん断フェライトシートの断面図である。
【図７】接着材層が上面に塗布されている状態を示す第四保護フィルムの斜視図である。
【図８】第五保護フィルムの斜視図である。
【図９】多数個のせん断フェライトシートをマトリックス状に配置した状態を示すせん断フェライトシートの配置図である。
【図１０】接着材層が下面に塗布されている状態を示す第三保護フィルムの斜視図である。
【図１１】本発明に係るフェライトシート積層体の斜視図である。
【図１２】前記フェライトシート積層体の分解斜視図である。
【図１３】従来技術に係るアンテナモジュールの構成要素を示す分解斜視図である。
【図１４】公知の焼結フェライトシートの切断方法を示す部分破断斜視図である。
【発明を実施するための形態】
【００１７】
（第一実施例）
次に、本発明を実施するための最良の形態について説明する。図１に示すように、グリーンフェライトシート２０の中央部Ａから周端面２１寄りの外方に広がる周縁部Ｂに平面形状が方形をなす外方分割溝２２を形成するとともに、その外方分割溝２２の中央領域Ｃに格子状の内方分割溝２３を形成することにより、分割溝付きグリーンシート２４を得る（第一工程）。
【００１８】
続いて、その分割溝付きグリーンシート２４を公知の手段で焼成して、それより若干平面が収縮した焼結フェライトシートを得る（第二工程）。次いで、図２に示すように、その焼結フェライトシート２５の表裏面に接着材層２６、２７を介して第一、第二保護フィルム２８，２９を貼着して、積層フェライトシート３０を得る（第三工程）とともに、その積層フェライトシート３０を第一ローラ及びそのローラと軸心が相異する第二ローラ（いずれも図示なし）に接触させて、前記分割溝２３の最深部を起点にして焼結フェライトシートを鱗片状に分割して、それを多数個の小片３１が面状に集合した小片面状フェライトシート３２を得る。なお、本発明に係る焼結フェライトシート２５の表裏面に第一、第二保護フィルム２８，２９を貼着するのは、焼結フェライトシート２５に分割溝が形成されているので、そのハンドリング過程で焼結フェライトシート２５がその分割溝の深部を起点に分割されるのを阻止するためと、次の過程において積極的に焼結フェライトシート２５を分割させたいとき、分割してできた小片が面状集合体を保持しなくなるのを阻止するためである。
【００１９】
さらに続いて、前記小片面状フェライトシート３２の中央領域Ｃの外方分割溝２２上又は内方分割溝２３を跨ぐように上下金型により剪断を施して、図３及び図４に示すように、前記小片面状フェライトシート３２より小さい平面を有する形状にせん断してせん断フェライトシート３３を得る（第四工程）。なお、図４においては、第一、第二保護フィルム２８，２９を剥離した状態のせん断フェライトシート３３の斜視図が示されている。
【００２０】
最後に、このせん断フェライトシート３３の表裏面に、図５に示すように、接着材層３４、３５を介して、第三、第四保護フィルム３６、３７を貼着するとともに、せん断フェライトシート３３の周端面側に第五保護フィルム３８を設置して、本発明に係るフェライトシート積層体３９にする（第五工程）。この態様において、第五保護フィルム３８は、第三、第四保護フィルム３６，３７の間に挟持させてもよいし、それらより厚みを大きくして、第三、第四保護フィルム３６，３７の端面に接合してもよい。さらに本発明に係るフェライトシート積層体３９が携帯情報端末に組み込まれる場合、その携帯情報端末の電子部品又は筐体等に保持させて設置することもできる。
【００２１】
（第二実施例）
次に、前記構造のフェライトシート積層体を工業的に効率よく生産する方法について説明する。まず、図６に示すように分割溝２３を有し、かつ中央領域で所定の平面形状を有し、さらに小片３１（図４を参照）に分割されていない焼結フェライトシート２５又は図４に示したように、小片３１を有しかつ表裏面が第一、第二保護フィルム２８，２９により保護された積層フェライトシート３０を多数枚準備する。
【００２２】
次に、図７に示すように、広幅の第四保護フィルム３７を準備する。このとき、第四保護フィルム３７の上面に感圧接着材層３５を付着させておく。勿論、感圧接着材層３５が最初から第四保護フィルムに３７に塗布されているような保護フィルムを使用することも、当然、許容される。
【００２３】
続いて、前記第四保護フィルム３７上に、図８に示すように、額縁状の窓部４０がマトリックス状に配置されている第五保護フィルム３８を準備して、それを第四保護フィルム３７上に接合することにより、二つの保護フィルム３７、３８により多数個のキャビティー（図示なし）を形成する。
【００２４】
そして、その第五フィルム３８の窓部４０の中に、図９に示すように、予め準備された多数枚の積層フェライトシート３０を前記キャビティーに落とし込んで、第四保護フィルム３７上に積層フェライトシート３０をマトリックス状に配置し、固定する。
【００２５】
そして、さらにそれらの上に、図１０に示すように、下面に感圧接着材層３４が塗布されている第三保護フィルム３６を載置して接合する。
【００２６】
得られたそれらの合体物（図示なし）から、積層フェライトシート３０が第五保護フィルム３８に包囲されるように、図８に示す１点鎖線３８ａに示すように、第五保護フィルム３８の桟部４１と第五保護フィルム３８の周縁部４２をマトリックス状に裁断すると、図１１及び図１２に示すように、第四保護フィルム３７、接着材層３５、積層フェライトシート３０、それを抱える額縁状の第五保護フィルム３８、接着材層３４及び第三保護フィルム３６が順次積層された本発明に係るフェライトシート積層体３９が切り出される。
【００２７】
本発明は、その根本的技術思想を踏襲し発明の効果を著しく損なわない限度において、前記実施形態の一部分を変更して実施することができる。例えば、本発明に係るフェライトシート積層体３９を携帯情報端末に実装するとき、フェライトシート積層体３９に使用される焼結フェライトシート２５を、屈曲させずに内方分割溝２３の最深部を基点として分割することなく、すなわち、図６に示す状態で使用して携帯情報端末に実装する段階で内方分割溝２３の一部分又は全部の最深部を基点として焼結フェライトシート２５を分割することもできる。
【産業上の利用可能性】
【００２８】
本発明は、携帯情報端末に実装されるフェライトシート積層体の分野に広く利用できる。
【符号の説明】
【００２９】
１：アンテナ装置、２：アンテナコイル、３：接着材層、４：フェライト小片、５：焼結フェライトシート、６：接着材層、７：金属板、８；保護フィルム、９：積層フェライトシート、１０：刃物又は金型、１１：剪断フェライトシート、１２：分割溝、１１：保護フィルム、１２：自由端、１３：一点鎖線、２０：グリーンフェライトシート、２１：周端面、２２：外方分割溝、２３：内方分割溝、２４：分割溝付きグリーンフェライトシート、２５：焼成フェライトシート、２６：接着材層、２７：接着材層、２８：第一保護フィルム、２９：第二保護フィルム、３０：積層フェライトシート、３１：小片、３２：小片面状フェライトシート、３３：せん断フェライトシート、３４：接着材層、３５：接着材層、３６：第三保護フィルム、３７：第四保護フィルム、３８：第五保護フィルム、３９：フェライトシート積層体、４０：窓部、４１：桟部、４２：周縁部、Ａ：中央部、Ｂ：周縁部、Ｃ：中央領域。
【図１】
2014130863.tif 000003
【図２】
2014130863.tif 000004
【図３】
2014130863.tif 000005
【図４】
2014130863.tif 000006
【図５】
2014130863.tif 000007
【図６】
2014130863.tif 000008
【図７】
2014130863.tif 000009
【図８】
2014130863.tif 000010
【図９】
2014130863.tif 000011
【図１０】
2014130863.tif 000012
【図１１】
2014130863.tif 000013
【図１２】
2014130863.tif 000014
【図１３】
2014130863.tif 000015
【図１４】
2014130863.tif 000016